(57)【特許請求の範囲】
【請求項１】
フレキシブル・グリッド再構成可能な光分岐挿入多重化装置Ｆｌｅｘ  ＲＯＡＤＭシステムに応用される光パワー等化方法であって、
光通路の光パワー制御目標値と光パワーモニタリング結果に基づいて、前記光通路に光パワー等化を行う必要があるか否かを判定することと、
判定結果がＹＥＳである場合、前記光パワーモニタリング結果に基づいて、前記光通路の光パワー及び前記光通路内の各サブキャリアの光パワーに等化を行うことと、を含み、
光通路の光パワー制御目標値と光パワーモニタリング結果に基づいて、前記光通路に光パワー等化を行う必要があるか否かを判定する前に、
前記光通路内の光信号を分光し、所定の比例部分の光信号を取得することと、
前記所定の比例部分の光信号に光パワーモニタリングを行って、前記光パワーモニタリング結果を取得することと、を含む光パワー等化方法。
【請求項２】
前記光通路内の光信号を分光する前に、
前記Ｆｌｅｘ  ＲＯＡＤＭシステムの光パワー性能要求に基づいて、前記光パワー制御目標値を確定することをさらに含む請求項１に記載の方法。
【請求項３】
前記光パワーモニタリング結果に基づいて、前記光通路の光パワー及び前記光通路内の各サブキャリアの光パワーに等化を行うことが、
前記光パワーモニタリング結果に基づいて、後方向制御及び/又は前方向制御の方式で、前記光通路の光パワー及び前記光通路内の各サブキャリアの光パワーに等化を行うことを含み、
前記後方向制御とは、上流フレキシブル・グリッド光パワー等化実行装置の減衰パラメーターに制御を行うことを指し、前記前方向制御とは下流フレキシブル・グリッド光パワー等化実行装置の減衰パラメーターに制御を行うことを指す請求項２に記載の方法。
【請求項４】
前記Ｆｌｅｘ  ＲＯＡＤＭシステムの前記各サブキャリアに対する光パワー等化要求と前記Ｆｌｅｘ  ＲＯＡＤＭシステムの前記光通路に対する光パワー等化要求が異なる場合、
さらに、前記光パワーモニタリング結果に基づいて、前記光通路の光パワー及び前記光通路内の各サブキャリアの光パワーに等化を行うときに、前記通路内のサブキャリア数量、各サブキャリアの中心周波数、各サブキャリアの周波数幅情報を利用する請求項３に記載の方法。
【請求項５】
前記所定の比例部分の光信号に光パワーモニタリングを行うと共に、
前記所定の比例部分の光信号に光信号対雑音比のモニタリングを行って、光信号対雑音比の検知結果を取得することをさらに含む請求項３に記載の方法。
【請求項６】
前記光通路の光パワー及び前記光通路内の各サブキャリアの光パワーに等化を行うことが、
前記光パワーモニタリング結果に基づいて及び前記光信号対雑音比の検知結果を参照して、前記後方向制御及び/又は前記前方向制御の方式で、前記光通路の光パワー及び前記光通路内の各サブキャリアの光パワーに等化を行うことを含む請求項５に記載の方法。
【請求項７】
フレキシブル・グリッド再構成可能な光分岐挿入多重化装置Ｆｌｅｘ  ＲＯＡＤＭシステムに応用される光パワー等化装置であって、
光通路の光パワー制御目標値と光パワーモニタリング結果に基づいて、前記光通路に光パワー等化を行う必要があるか否かを判定するように構成される判定モジュールと、
前記判定モジュールによる判定結果がＹＥＳである場合、前記光パワーモニタリング結果に基づいて、前記光通路の光パワー及び前記光通路内の各サブキャリアの光パワーに等化を行うように構成される等化モジュールと、を備え、
前記光通路内の光信号を分光し、所定の比例部分の光信号を取得するように構成される分光モジュールと、
前記所定の比例部分の光信号に光パワーモニタリングを行って、前記光パワーモニタリング結果を取得するように構成されるモニタリングモジュールと、をさらに備える光パワー等化装置。
【請求項８】
前記Ｆｌｅｘ  ＲＯＡＤＭシステムの光パワー性能要求に基づいて、前記光パワー制御目標値を確定するように構成される確定モジュールをさらに備える請求項７に記載の装置。
【発明の詳細な説明】
【技術分野】
【０００１】
本発明は、通信分野に関し、具体的に、光パワー等化方法及び装置に関する。
【背景技術】
【０００２】
再構成可能な光分岐挿入多重化装置（Ｒｅｃｏｎｆｉｇｕｒａｂｌｅ  Ｏｐｔｉｃａｌ  ＡｄｄＤｒｏｐ  Ｍｕｌｔｉｐｌｅｘｅｒ、ＲＯＡＤＭと略称）は、ソフトウェアを配置することで通路波長のローカルでの上下直通を実現して、光ネットワークサービス伝送の融通性を実現した。既存の波長分割多重化システムは固定グリッド技術を用いており、通路グリッドは５０ＧＨｚ又は１００ＧＨｚである。Ｂ１００Ｇ（Ｂｅｙｏｎｄ １００Ｇ）伝送技術によって、フレキシブル・グリッド（ｇｒｉｄｌｅｓｓ又はｆｌｅｘｉｂｌｅ  ｇｒｉｄ）に対する需要が発生され、即ち、異なる変調符号タイプ、異なるレートの波長分割多重化伝送の需要に対応するように、通路グリッドの幅が可変である。フレキシブル・グリッド技術は、最初、２０１１年２月に国際電気通信連合第１５研究チーム（ＩＴＵ−Ｔ  ＳＧ１５）のＧ．６９４．１標準により初めて標準化され、標準化草案の内部用バージョンはＶ１．２で、基準周波数スリット標準に中心周波数が１９３．１＋ｎ×０．００６２５（ｎは整数である）であると規定され、基準周波数幅は１２．５ＧＨｚ×ｍ（ｍは正整数である）である。フレキシブル・グリッド技術を有するＲＯＡＤＭシステムは、通常Ｆｌｅｘ  ＲＯＡＤＭシステムと呼ばれる。
【０００３】
高密度波長分割多重方式（Ｄｅｎｓｅ  Ｗａｖｅｌｅｎｇｔｈ  Ｄｉｖｉｓｉｏｎ  Ｍｕｌｔｉｐｌｅｘｉｎｇ、ＤＷＤＭと略称）光伝送システムにおいて、伝送光ファイバー、光アンプ及び他の光学部品の損失又は利得が波長と関連づけられているので、通常の光伝送路の中の各通路のパワーは等化していない。そして、ブロードバンド範囲内の光ファイバー伝送によって、光ファイバーの一部の非線形効果が強化され、例えば、誘導ラマン散乱（ＳＲＳ）効果の影響を受けて、ＤＷＤＭ信号の短い波長通路パワーが長い波長通路へ移転し、受信機に達する光パワーが受信範囲を超えることになり、及び受信側の一部の通路の信号対雑音比が低い等の問題が存在して、システムの性能に影響を与えてしまう。Ｆｌｅｘ  ＲＯＡＤＭシステムで伝送されるＢ１００Ｇ信号の光通路は複数のサブキャリアから構成される可能性があり、複数のサブキャリア間もパワーの等化を実現しなければならず、即ち、Ｆｌｅｘ  ＲＯＡＤＭシステムにおいて、光通路間の光パワーの等化が必要であると共に、光通路内部の各サブキャリア間の光パワーの等化も必要である。
既存技術において、Ｆｌｅｘ  ＲＯＡＤＭシステムにおける光通路間の光パワーの等化要求と光通路内部の各サブキャリア間の光パワーの等化要求を満たすことができない問題について、未だに有効な解決案が提示されていない。
【発明の概要】
【発明が解決しようとする課題】
【０００４】
本発明は、少なくとも上記の問題を解決できる光パワー等化方法及び装置を提供することをその目的とする。
【課題を解決するための手段】
【０００５】
本発明の一態様によると、フレキシブル・グリッド再構成可能な光分岐挿入多重化装置（Ｆｌｅｘ  ＲＯＡＤＭ）システムに応用される光パワー等化方法であって、光通路の光パワー制御目標値と光パワーモニタリング結果に基づいて、光通路に光パワー等化を行う必要があるか否かを判定することと、判定結果がＹＥＳである場合、光パワーモニタリング結果に基づいて、光通路の光パワー及び光通路内の各サブキャリアの光パワーに等化を行うことと、を含む光パワー等化方法を提供する。
【０００６】
光通路の光パワー制御目標値と光パワーモニタリング結果に基づいて、光通路に光パワー等化を行う必要があるか否かを判定する前に、光通路内の光信号を分光し、所定の比例部分の光信号を取得することと、所定の比例部分の光信号に光パワーモニタリングを行って、光パワーモニタリング結果を取得することと、を含むことが好ましい。
【０００７】
光通路内の光信号を分光する前に、Ｆｌｅｘ  ＲＯＡＤＭシステムの光パワー性能要求に基づいて、光パワー制御目標値を確定することをさらに含むことが好ましい。
【０００８】
光パワーモニタリング結果に基づいて、光通路の光パワー及び光通路内の各サブキャリアの光パワーに等化を行うことが、光パワーモニタリング結果に基づいて、後方向制御及び/又は前方向制御の方式で、光通路の光パワー及び光通路内の各サブキャリアの光パワーに等化を行うことを含み、後方向制御とは、上流フレキシブル・グリッド光パワー等化実行装置の減衰パラメーターに制御を行うことを指し、前方向制御とは下流フレキシブル・グリッド光パワー等化実行装置の減衰パラメーターに制御を行うことを指すことが好ましい。
【０００９】
Ｆｌｅｘ  ＲＯＡＤＭシステムの各サブキャリアに対する光パワー等化要求とＦｌｅｘ  ＲＯＡＤＭシステムの光通路に対する光パワー等化要求が異なる場合、光パワーモニタリング結果に基づいて、光通路の光パワー及び光通路内の各サブキャリアの光パワーに等化を行うときに、さらに、通路内のサブキャリア数量、各サブキャリアの中心周波数、各サブキャリアの周波数幅情報を利用する必要があることが好ましい。
【００１０】
所定の比例部分の光信号に光パワーモニタリングを行うと共に、所定の比例部分の光信号に光信号対雑音比のモニタリングを行って、光信号対雑音比の検知結果を取得することをさらに含むことが好ましい。
【００１１】
光通路の光パワー及び光通路内の各サブキャリアの光パワーに等化を行うことが、光パワーモニタリング結果に基づいて及び光信号対雑音比の検知結果を参照して、後方向制御及び/又は前方向制御の方式で、光通路の光パワー及び光通路内の各サブキャリアの光パワーに等化を行うことを含むことが好ましい。
【００１２】
本発明の他の一態様によると、フレキシブル・グリッド再構成可能な光分岐挿入多重化装置（Ｆｌｅｘ  ＲＯＡＤＭ）システムに応用される光パワー等化装置であって、光通路の光パワー制御目標値と光パワーモニタリング結果に基づいて、光通路に光パワー等化を行う必要があるか否かを判定するように構成される判定モジュールと、判定モジュールによる判定結果がＹＥＳである場合、光パワーモニタリング結果に基づいて、光通路の光パワー及び光通路内の各サブキャリアの光パワーに等化を行うように構成される等化モジュールと、を備える光パワー等化装置を提供する。
【００１３】
該装置が、光通路内の光信号を分光し、所定の比例部分の光信号を取得するように構成される分光モジュールと、所定の比例部分の光信号に光パワーモニタリングを行って、光パワーモニタリング結果を取得するように構成されるモニタリングモジュールと、をさらに備えることが好ましい。
【００１４】
該装置が、Ｆｌｅｘ  ＲＯＡＤＭシステムの光パワー性能要求に基づいて、光パワー制御目標値を確定するように構成される確定モジュールをさらに備えることが好ましい。
【発明の効果】
【００１５】
本発明によると、光通路内の光信号をモニタリングし、モニタリング結果に基づいて、光通路の光パワーと光通路内のサブキャリアの光パワーにパワー等化を行う方式を用いて、既存技術においてＦｌｅｘ  ＲＯＡＤＭシステムにおける光通路間の光パワー等化要求と光通路内部の各サブキャリア間の光パワー等化要求を満たすことができない問題を解決し、Ｆｌｅｘ  ＲＯＡＤＭシステム内のフレキシブル・グリッド光信号の光パワー等化要求を満たすことができ、Ｆｌｅｘ  ＲＯＡＤＭシステム内の光信号パワーが変化された場合、フレキシブル・グリッド光信号及びサブキャリアの光パワーに対する動的等化を実現し、Ｆｌｅｘ  ＲＯＡＤＭシステムの光性能が需要を満たすことを保証できる効果を実現することができる。
【図面の簡単な説明】
【００１６】
ここで説明する図面は本発明を理解させるためのもので、本発明の一部を構成し、本発明における実施例及びその説明は本発明を解釈するためのもので、本発明を不当に限定するものではない。
【図１】図１は、本発明の実施例に係わる光パワー等化方法を示すフローチャートである。
【図２】図２は、本発明の実施例に係わる光パワー等化装置の構造を示すブロック図である。
【図３】図３は、本発明の実施例の好適な実施形態１に係わる光パワー等化装置の構造を示すブロック図である。
【図４】図４は、本発明の実施例の好適な実施形態２に係わる光パワー等化装置の構造を示すブロック図である。
【図５】図５は、本発明の好適な実施例１に係わる光パワー等化装置の構造を示すブロック図である。
【図６】図６は、本発明の好適な実施例２に係わる光パワー等化装置の構造を示すブロック図である。
【図７】図７は、本発明の好適な実施例３に係わる光パワー等化装置の構造を示すブロック図である。
【発明を実施するための形態】
【００１７】
以下、図面を参照しつつ実施例を結合して本発明を詳細に説明する。ここで、衝突しない限り、本願の実施例及び実施例中の特徴を互いに結合することができる。
本実施例において光パワー等化方法を提供し、Ｆｌｅｘ  ＲＯＡＤＭシステムに応用できるものであって、フレキシブル・グリッド光信号のパワー等化を有効に支援することができる。
【００１８】
図１は、本発明の実施例に係わる光パワー等化方法を示すフローチャートであり、該光パワー等化方法はフレキシブル・グリッド再構成可能な光分岐挿入多重化装置（Ｆｌｅｘ  ＲＯＡＤＭ）システムに応用される方法であって、図１に示すように、該方法は以下のステップを含む（ステップＳ１０２〜ステップＳ１０４）：
光通路の光パワー制御目標値と光パワーモニタリング結果に基づいて、光通路に光パワー等化を行う必要があるか否かを判定する（ステップＳ１０２）。
判定結果がＹＥＳである場合、光パワーモニタリング結果に基づいて、光通路の光パワー及び光通路内の各サブキャリアの光パワーに等化を行う（ステップＳ１０４）。
【００１９】
本実施例において、ステップＳ１０２を実行する前、光通路内の光信号を分光し、所定の比例部分の光信号を得て、さらに、所定の比例部分の光信号に光パワーモニタリングを行って、最終に、光パワーモニタリング結果を取得することができる。ここで、光信号の所定の比例のサイズについて、実際の応用において採用される比例の値は通常小さいが、小さいほどよいのではなく、光パワー検知結果を比較的に正確に取得でき、且つ光通路内の光信号全体に大きい損失を与えることのない条件で、該所定の比例の値を柔軟に設定することができ、例えば、５％の所定の比例の値で光通路内の光信号を分光することができる。
【００２０】
光通路内の光信号を分光する前、Ｆｌｅｘ  ＲＯＡＤＭシステムの光パワー性能要求に基づいて、光パワー制御目標値を確定することが好ましい。
【００２１】
本実施例において、ステップＳ１０４を実行する際、以下の方式で実現することができる：光パワーモニタリング結果に基づいて、後方向制御及び/又は前方向制御の方式で、光通路の光パワー及び光通路内の各サブキャリアの光パワーに等化を行うことができ、ここで、後方向制御とは上流フレキシブル・グリッド光パワー等化実行装置（光パワー等化実行ユニットとも呼ばれ、主に、光パワーに等化を行う機能を果たし、該機能を備える部品であればよく、例えば、実際の応用において波長選択スイッチ（Ｆｌｅｘ  ＷＳＳ）を選択することができるが、これに限定されることはない）の減衰パラメーターに制御を行うことを指し、前方向制御とは下流フレキシブル・グリッド光パワー等化実行装置（例えば、Ｆｌｅｘ  ＷＳＳ）の減衰パラメーターに制御を行うことを指す。
【００２２】
Ｆｌｅｘ  ＲＯＡＤＭシステムの各サブキャリアに対する光パワー等化要求とＦｌｅｘ  ＲＯＡＤＭシステムの光通路に対する光パワー等化要求が異なる場合、光パワーモニタリング結果に基づいて、光通路の光パワー及び光通路内の各サブキャリアの光パワーに等化を行うときに、通路内のサブキャリア数量、各サブキャリアの中心周波数、各サブキャリアの周波数幅等の情報をさらに利用する必要があることが好ましい。
【００２３】
所定の比例部分の光信号に光パワーモニタリングを行うと共に、所定の比例部分の光信号に光信号対雑音比のモニタリングを行って、光信号対雑音比の検知結果を得ることが好ましい。
【００２４】
本実施例において、ステップＳ１０４を実行する際、以下の方式で実現することもできる：まず、光パワーモニタリング結果に基づいて及び光信号対雑音比の検知結果を参照して、後方向制御及び/又は前方向制御の方式で、光通路の光パワー及び光通路内の各サブキャリアの光パワーに等化を行うことができる。
【００２５】
実際の応用において、上記実施例に提供されるＦｌｅｘ  ＲＯＡＤＭシステムに応用可能な光パワー等化方法の実施フローは以下のような幾つかの簡単なステップに分けられる：１．Ｆｌｅｘ  ＲＯＡＤＭシステムの光性能要求に応じて、システムのフレキシブル・グリッド光信号の光パワー制御目標値を確定し、２．Ｆｌｅｘ  ＲＯＡＤＭシステムの光性能モニタリングユニットによりフレキシブル・グリッド光性能のモニタリングを行い、３．光性能のモニタリングデータ結果に基づいて、フレキシブル・グリッド光パワーの調節を行う必要があるか否かを判定し、４．光パワーの等化を行う必要があると、フレキシブル・グリッド光パワー等化実行ユニットに後方向制御及び/又は前方向制御を行って光通路及びサブキャリアの光パワーを調節する。
【００２６】
該方法実施例に提供される光パワー等化方法によると、既存技術においてＦｌｅｘ  ＲＯＡＤＭシステムにおける光通路間の光パワー等化要求と光通路内部の各サブキャリア間の光パワー等化要求を満たすことができない問題を解決し、光通路内のフレキシブル・グリッド光信号のパワー等化の要求を有効に支援することができる。
【００２７】
図２は、本発明の実施例に係わる光パワー等化装置の構造を示すブロック図であり、該装置は上記方法実施例に提供される光パワー等化方法を実現するためのものであって、該装置はフレキシブル・グリッド再構成可能な光分岐挿入多重化装置（Ｆｌｅｘ  ＲＯＡＤＭ）システムに応用される装置であり、図２に示すように、該装置は主に、判定モジュール１０と、等化モジュール２０とを備える。ここで、判定モジュール１０は、光通路の光パワー制御目標値と光パワーモニタリング結果に基づいて、光通路に光パワー等化を行う必要があるか否かを判定するように構成され、等化モジュール２０は判定モジュール１０に接続されて、判定モジュールによる判定結果がＹＥＳである場合、光パワーモニタリング結果に基づいて、光通路の光パワー及び光通路内の各サブキャリアの光パワーに等化を行うように構成される。
【００２８】
図３は、本発明の実施例の好適な実施形態１に係わる光パワー等化装置の構造を示すブロック図であり、図３に示すように、該好適な光パワー等化装置は、光通路内の挿入損失によるパワー損失を有する光信号を分光し、所定の比例部分の光信号を得るように構成される分光モジュール３０と、分光モジュール３０と判定モジュール１０にそれぞれ接続されて、所定の比例部分の光信号に光パワーモニタリングを行って、光パワーモニタリング結果を取得し、光パワーモニタリング結果を判定モジュール１０に提供するように構成されるモニタリングモジュール４０と、をさらに備える。
【００２９】
該好適な実施形態において、該装置は、判定モジュール１０に接続されて、Ｆｌｅｘ  ＲＯＡＤＭシステムの光パワー性能要求に基づいて、光パワー制御目標値を確定し、光パワー制御目標値を判定モジュール１０に提供するように構成される確定モジュール５０をさらに備えることができる。
【００３０】
以下、図４〜図７及び好適な実施例１〜好適な実施例３を結合して、上記方法実施例に提供される光パワー等化方法と上記装置実施例に提供される光パワー等化装置をさらに詳しく説明する。
以下、本発明の実施例の好適な実施形態２に係わる光パワー等化装置の構造は、上述した好適な実施形態１に提供される光パワー等化装置と同様な機能を有し、その構造が異なるだけである。
【００３１】
図４は、本発明の実施例の好適な実施形態２に係わる光パワー等化装置の構造を示すブロック図であり、図４に示すように、該好適な実施形態２に提供されるＦｌｅｘ  ＲＯＡＤＭのシステムに応用される光パワー等化装置は、上流フレキシブル・グリッド光パワー等化実行ユニット１０１と、下流光パワー等化実行ユニット１０３と、フレキシブル・グリッド光性能モニタリングユニット１０４と、分光ユニット１０２と、を備える。
【００３２】
図４において、空芯矢印は光信号の伝送方向を表し、実線矢印は電気信号の伝送方向を表する。Ｆｌｅｘ  ＲＯＡＤＭシステム回線上の光信号は、上流フレキシブル・グリッド光パワー等化実行ユニットを通過し、その出力から分光ユニットによって少量の光を分光してフレキシブル・グリッド能力を有する光性能モニタリングユニットに送信し、光性能モニタリングユニットは入力された光信号に性能のモニタリング分析を行って、分析結果に基づいて、光パワー等化の要求を確定し、上流フレキシブル・グリッド光パワー等化実行ユニット及び/又は下流フレキシブル・グリッド光パワー等化実行ユニットを制御して、Ｆｌｅｘ  ＲＯＡＤＭシステムのフレキシブル・グリッド信号の光パワー等化を完成する。
【００３３】
ここで、光パワー等化実行ユニットと光性能モニタリングユニットはいずれもフレキシブル・グリッドの能力を具備し、Ｆｌｅｘ  ＲＯＡＤＭシステムにおけるフレキシブル・グリッド光信号の等化及びモニタリングの需要を満たすことができる。そして、光パワー等化実行ユニットが各フレキシブル・グリッド信号通路の光パワーの調節を支援すると共に、フレキシブル・グリッド標準に合致するマルチサブキャリアのＢ１００Ｇ光チャネル内の各サブキャリア間の光パワーの調節も支援する。通常、Ｆｌｅｘ  ＲＯＡＤＭシステムにおける光パワー等化実行ユニットは、一つ又は複数のフレキシブル・グリッド能力付きの波長選択スイッチ（Ｆｌｅｘｉｂｌｅ  ｇｒｉｄ  Ｗａｖｅｌｅｎｇｔｈ  Ｓｅｌｅｃｔｉｖｅ  Ｓｗｉｔｃｈ、Ｆｌｅｘ  ＷＳＳと略称）を含む。
【００３４】
ここで、光性能モニタリングユニットは、フレキシブル・グリッドの光性能モニタリングを支援し、通常は、入力されたフレキシブル・グリッド光信号にサブキャリア光パワーのモニタリングを行うフレキシブル・グリッド光通路モニター（Ｆｌｅｘｉｂｌｅ  ｇｒｉｄ  Ｏｐｔｉｃａｌ  Ｃｈａｎｎｅｌ  Ｍｏｎｉｔｏｒ、Ｆｌｅｘ  ＯＣＭと略称）又は、さらに、入力されたフレキシブル・グリッド光信号にサブキャリア光パワーのモニタリングを行い、さらに光信号対雑音比のモニタリングを行うフレキシブル・グリッド光性能モニター（Ｆｌｅｘｉｂｌｅ  ｇｒｉｄ  Ｏｐｔｉｃａｌ  Ｐｅｒｆｏｒｍａｎｃｅ  Ｍｏｎｉｔｏｒ、Ｆｌｅｘ  ＯＰＭと略称）である。
【００３５】
好適な実施例１
図５は、本発明の好適な実施例１に係わる光パワー等化装置の構造を示すブロック図であり、図５にＦｌｅｘ  ＲＯＡＤＭの下りリンク部分を示し、図５に示すように、該光パワー等化装置は、９*１  Ｆｌｅｘ  ＷＳＳ（１０５）と、１*９  Ｆｌｅｘ  ＷＳＳ（１０２）と、Ｆｌｅｘ  ＯＣＭ（１０４）と、光アンプＯＡ（１０３）と、１*４分光器（１０１）と、を備え、分光器の後段はコヒーレント受信器である（図５に未図示）。図５において、９*１  Ｆｌｅｘ  ＷＳＳが８個の方向からのフレキシブル・グリッド光信号のために下りリンク選択を行い、１*９  Ｆｌｅｘ  ＷＳＳは、下りリンクの光信号を各ポートに割り当て、そして、分光器によってさらに分光してコヒーレント受信器へ出力する。ここで、９*１  Ｆｌｅｘ  ＷＳＳは図４中の前方向制御の光パワー等化実行ユニットに相当し、１*９  Ｆｌｅｘ  ＷＳＳは図４中の後方向制御の光パワー等化実行ユニットに相当し、Ｆｌｅｘ  ＯＣＭは、フレキシブル・グリッドの光パワーのモニタリングを完成する。システムは、光パワーモニタリング結果に基づいて、１*９  Ｆｌｅｘ  ＷＳＳ内臓の挿入損失ルックアップテーブルを利用して（即ち、ＷＳＳ出荷前に各ポートの全ての波長挿入損失をテストしてから、モジュールに格納する）、又は、そのポートの挿入損失等化性を利用して、下流１*９  Ｆｌｅｘ  ＷＳＳの減衰を制御することで、フレキシブル・グリッドの光パワー等化を実現する。上流９*１  Ｆｌｅｘ  ＷＳＳの減衰を制御して、フレキシブル・グリッドの光パワー等化の目的を実現することもできる。光アンプＯＡは、受信機の光信号パワーが受信機の要求を満たすように、光パワーを増幅することで、ＷＳＳや分光器等の素子の挿入損失によるパワーの損失を補償する。光アンプＯＡの内部に分光器を集積し、光信号から一部を分光してＯＡ単板のモニタリングポートから出力し、Ｆｌｅｘ  ＯＣＭはＯＡのモニタリングポートから受光する。
【００３６】
好適な実施例２
図６は、本発明の好適な実施例２に係わる光パワー等化装置の構造を示すブロック図であり、図６において、太実線はＲＯＡＤＭノードに出入りするＤＷＤＭ回線の光信号を表し、細実線は他の光信号を表し、点線はフィードバック制御路を表す。実質上、図６は、二次元のＦｌｅｘ  ＲＯＡＤＭノードを示す模式図であり、図６に示すように、光アンプＯＡ（１０１、１０２、１０３、１０４）は、それぞれ、Ａ方向とＢ方向の光信号の増幅を行う。分光器（２０１、２０２）は、ＲＯＡＤＭノードに入る回線の光信号を他の回線方向と下りリンク方向へ放送する。Ｆｌｅｘ  ＷＳＳ（３０１、３０２）は、ルーティング選択する。４０１と５０１はそれぞれ、フレキシブル・グリッドの下りリンクユニットと上りリンクユニットである。波長ラベルのＦｌｅｘ  ＯＰＭ  ６０１によって、フレキシブル・グリッド信号の光パワーのモニタリングを実現できると共に、フレキシブル・グリッド信号の通路又はサブキャリアの光信号対雑音比のモニタリングも実現でき、受信機へ出力される光信号の信号対雑音比が受信機の要求を満たすように、前段をフォードバック制御するＦｌｅｘ  ＷＳＳを介して、フレキシブル・グリッド光パワーを調節する。
【００３７】
ここで、システムのＢ１００Ｇチャネル内の各サブキャリア間の光パワー等化に対する要求と各光通路間の光パワー等化に対する要求が異なると、光パワー等化の制御を行う時、Ｂ１００Ｇチャネル内のサブキャリア数量、各サブキャリア中心周波数、周波数幅情報等の情報を把握しなければならず、これらの情報は波長ラベル方式で伝送することができる。
【００３８】
好適な実施例３
図７は、本発明の好適な実施例３に係わる光パワー等化装置の構造を示すブロック図であり、図７に示すように、前の二つの好適な実施例に比べ、当該好適な実施例は主に、光性能のモニタリング部分において異なっていて、図７中の１０１である９*１  Ｆｌｅｘ  ＷＳＳによって、各光方向からの光信号の下りリンクを選択してから、図中の１０３と１０４である１*４分光器と１*９  Ｆｌｅｘ  ＷＳＳによって、下りリンクの各光通路の信号又は各サブキャリア信号を１*９  Ｆｌｅｘ  ＷＳＳの出力ポートから出力する。１*９  Ｆｌｅｘ  ＷＳＳの出力ポートは受信機１０５である（図において、一部の受信機のみを示した）。これにより、各受光機に内臓した光パワーモニタリング機能によって、受信機により受信した対応する光サブキャリア又は光通路の光パワーのモニタリングを完成することができ、その後、システムによって、これらの光パワーのモニタリング結果を集中して、それに基づいて、上流１*９  Ｆｌｅｘ  ＷＳＳ及び/又は９*１  Ｆｌｅｘ  ＷＳＳの出力ポートの光パワー減衰を調節して、フレキシブル・グリッド光信号の光パワー等化を完成する。光アンプ１０２はシステム中の光信号を増幅することで、ＷＳＳやＳｐｌｉｔｔｅｒによる光路の減衰を補償する。
【００３９】
ここで、実施例３の光パワー等化装置を用いて光パワー等化を行うプロセスを説明すると、主に以下のステップを含む：（１）Ｆｌｅｘ  ＲＯＡＤＭシステムの下りリンク受信機の要求に応じて、各受信機に到達する光通路又は光サブキャリア信号の光パワー要求を確定し、（２）各受信機に内臓した光パワーモニタリング機能によって、光通路又は光サブキャリアの光信号にパワーのモニタリングを行って、（３）システムにより各受信機からフィードバックされた光パワーモニタリングデータを収集して、受信機での光パワーが要求を満たすか否かを判定し、（４）ある受信機での光パワーが要求を満たさないと、対応する前段の１*９  Ｆｌｅｘ  ＷＳＳの対応する出力ポートの減衰を調節することで、光パワーを調節して光パワーの等化を完成する。ここで、必要のときは、９*１Ｆｌｅｘ  ＷＳＳのポート減衰を調節することでパワーの等化を完成することもできる。
【００４０】
上記実施例に提供される光パワー等化装置を用いると、既存技術においてＦｌｅｘ  ＲＯＡＤＭシステムにおける光通路間の光パワー等化要求と光通路内部の各サブキャリア間の光パワー等化要求を満たすことができない問題を解決し、光通路内のフレキシブル・グリッド光信号のパワー等化の需要を有効に満たすことができる。
【００４１】
上述したように、本発明によると、以下のような技術的効果を実現できる：既存技術に比べ、既存技術においてはただＤＷＤＭシステム通路レベルの固定グリッドの光パワー等化のみを行っていて、Ｆｌｅｘ  ＲＯＡＤＭシステム内のフレキシブル・グリッド光信号に光パワー等化を行う場合を考慮していない。これに対し、本願に提供される光パワー等化方法及び装置によると、Ｆｌｅｘ  ＲＯＡＤＭシステム内のフレキシブル・グリッド光信号の光パワー等化要求を満たすことができ、Ｆｌｅｘ  ＲＯＡＤＭシステム内の光信号パワーが変化された場合、フレキシブル・グリッド光信号及びサブキャリア光パワーの動的等化を実現し、Ｆｌｅｘ  ＲＯＡＤＭシステムの光性能が要求を満たすことを保証できる。
【産業上の利用可能性】
【００４２】
本発明の技術案は、Ｆｌｅｘ  ＲＯＡＤＭシステム内のフレキシブル・グリッド光信号に光パワー等化を行う場合を十分に考慮し、Ｆｌｅｘ  ＲＯＡＤＭシステム内のフレキシブル・グリッド光信号の光パワー等化要求を満たし、Ｆｌｅｘ  ＲＯＡＤＭシステム内の光信号パワーが変化された場合、フレキシブル・グリッド光信号及びサブキャリア光パワーの動的等化を実現する。
【００４３】
当業者にとって、上記の本発明の各ブロック又は各ステップは通用のコンピューター装置によって実現することができ、単独のコンピューター装置に集中させることができ、複数のコンピューター装置により構成されるネットワークに分布させることもでき、さらにコンピューター装置が実行可能なプログラムのコードによって実現することもできるので、それらを記憶装置に記憶させてコンピューター装置によって実行することができ、示したまたは説明したステップをこことは異なる順番で実行可能で、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００４４】
以上は、本発明の好適な実施例に過ぎず、本発明を限定するものではない。当業者であれば、本発明に様々な修正や変形が可能である。本発明の精神や原則内での如何なる修正、同等な置換、改良なども本発明の保護範囲内に含まれる。
【図１】
0006386533.tif 000002
【図２】
0006386533.tif 000003
【図３】
0006386533.tif 000004
【図４】
0006386533.tif 000005
【図５】
0006386533.tif 000006
【図６】
0006386533.tif 000007
【図７】
0006386533.tif 000008